(57)【要約】【課題】上金型におけるパンチホルダとリテーナカラーとを回転不能な状態に一体化することができる上金型を提供する。【解決手段】筒状のパンチホルダ１５の内側下端部に複数のパンチチップ１９Ａ，１９Ｂ，…を円形状に配置して備え、前記パンチホルダ１５に上下動自在かつ相対的に回転自在に嵌合したパンチボディ２５の下端部に、前記各パンチチップ１９Ａ，１９Ｂ，…を個別に打圧自在な打圧部２５Ｐを備え、前記パンチボディ２５にリテーナカラー２９を上下動自在に備えると共に前記パンチホルダ１５を押圧すべく下方向へ付勢して備え、前記リテーナカラー２９に備えたキー３５と前記パンチホルダ１５に備えたキー溝１５Ｋとの位置的関係を、不使用状態において常に一定の位置関係に保持するために、前記リテーナカラー２９に上下動可能に備えたロックピン４７が係合可能な凹部４３を、前記パンチホルダ１５に備えている。【選択図】図２
2018153829.tif 000002
【特許請求の範囲】
【請求項１】
パンチプレスにおける上型ホルダに回転自在に支持された筒状のガイドスリーブの上方位置に、ホルダスリーブを上下動のみ自在に備えた構成の回転金型ホルダに対して着脱交換自在な上金型であって、前記ホルダスリーブの下端部に備えた内側フランジに回転自在かつ上下動自在に支持される筒状のパンチホルダの内側下端部に複数のパンチチップを円形状に配置して備え、前記パンチホルダに上下動自在かつ相対的に回転自在に嵌合したパンチボディの下端部に、前記各パンチチップを個別に打圧自在な打圧部を備え、前記パンチホルダの上端部に備えたフランジを前記ホルダスリーブの前記内側フランジ上に押圧するリテーナカラーを前記パンチボディに上下動自在に備えると共に下方向へ付勢して備え、前記ホルダスリーブに備えた上下方向のガイド溝に上下動自在に係合するキーを前記リテーナカラーに備え、前記ガイドスリーブに備えたキーを相対的に上下動自在に係合する上下方向のキー溝を前記パンチホルダに備え、前記リテーナカラーに備えた前記キーと前記パンチホルダに備えた前記キー溝との位置的関係を一定の位置関係に保持するために、前記リテーナカラーに上下動可能に備えたロックピンが係脱可能な凹部を、前記パンチホルダの上面に備えていることを特徴とする上金型。
【請求項２】
請求項１に記載の上金型において、前記パンチホルダの前記凹部内に、前記ホルダスリーブの前記内側フランジ上に前記パンチホルダのフランジを載置したときに前記ロックピンを押し上げる押し上げピンを上下動自在に備えていることを特徴とする上金型。
【請求項３】
筒状のパンチホルダの内側下端部に複数のパンチチップを円形状に配置して備え、前記パンチホルダに上下動自在かつ相対的に回転自在に嵌合したパンチボディの下端部に、前記各パンチチップを個別に打圧自在な打圧部を備え、前記パンチボディにリテーナカラーを上下動自在に備えると共に前記パンチホルダを押圧すべく下方向へ付勢して備え、前記リテーナカラーに備えたキーと前記パンチホルダに備えたキー溝又はキーとの位置的関係を、不使用状態において常に一定の位置関係に保持するために、前記リテーナカラーに上下動可能に備えたロックピンが係合可能な凹部を、前記パンチホルダに備えていることを特徴とする上金型。
【発明の詳細な説明】
【技術分野】
【０００１】
本発明は、例えば特開平１０−３２８７５９号公報に記載されているようなオートインデックス金型保持装置に装着して使用する上金型に関する。さらに詳細には、例えば自動工具交換装置（ＡＴＣ）を使用して自動的に着脱交換可能な上金型に関する。
【背景技術】
【０００２】
前述したオートインデックス金型保持装置に装着して使用する上金型として、刻印用金型がある（特許文献１参照）。
【先行技術文献】
【特許文献】
【０００３】
【特許文献１】特開平６−１９８３５２号公報
【発明の概要】
【発明が解決しようとする課題】
【０００４】
従来、オートインデックス金型保持装置に装着して使用する上金型として、図１に示すごとき構成の上金型がある。なお、全体的構成の理解を容易にするために、図１を用いて概略的に説明する。
【０００５】
図１を参照するに、タレットパンチプレス（図示省略）における上下の金型ホルダとしての上下のタレット１Ｕ，１Ｌには、それぞれ前述したオートインデックス金型保持装置３Ｕ，３Ｌが備えられている。なお、下部タレットに備えられたオートインデックス金型保持装置３Ｌについては、図示、説明を省略する。
【０００６】
さて、前記上部タレット１Ｕには、筒状のガイドスリーブ５が回転自在に備えられている。そして、このガイドスリーブ５の上部には、ガイドスリーブ５を回転するための歯車（ワームホイール）７が備えられている。そして、前記上部タレット１Ｕ上には、複数のコイルスプリング９を介して昇降プレート１１が上下動自在に備えられている。この昇降プレート１１には、前記ガイドスリーブ５内に上方向から上下動自在に嵌入したホルダスリーブ１３が一体的に備えられている。
【０００７】
上記ホルダスリーブ１３内には、筒状のパンチホルダ１５が着脱交換自在に備えられている。すなわち、前記ホルダスリーブ１３の下端部には内側フランジ１３Ｆが備えられている。そして、前記パンチホルダ１５の上端部には、前記内側フランジ１３Ｆ上に載置自在なフランジ１５Ｆが備えられている。すなわちパンチホルダ１５は、前記ホルダスリーブ１３に対して上方向へ取り外し自在に支持されている。
【０００８】
前記パンチホルダ１５の下端部には円板状のホルダプレート１７が一体的に備えられている。そして、前記ホルダプレート１７の、前記パンチホルダ１５の内側には、複数のパンチチップ１９Ａ，１９Ｂ，…が円形状に配置してある。上記各パンチチップ１９Ａ，１９Ｂ，…は、前記ホルダプレート１７に上下動自在に支持され、かつコイルスプリング２１によってそれぞれ上方向へ付勢されている。そして、前記ホルダプレート１７の上方に一体的に備えた円板状の規制プレート２３によって上方向への移動を規制されている。
【０００９】
前記パンチホルダ１５内には、パンチボディ２５が上下動自在かつ相対的に回転自在に嵌合してある。そして、前記パンチボディ２５の下面には、前記各パンチチップ１９Ａ，１９Ｂ，…を個別に打圧自在な打圧部２５Ｐが下方向へ突出して備えられている。前記パンチボディ２５の上部に一体的に備えた小径のパンチドライバ２７の部分は、前記パンチホルダ１５の上部から突出してある。
【００１０】
前記パンチドライバ２７の部分には、リテーナカラー２９が上下動自在に嵌合してある。そして、前記パンチドライバ２７の上端部に備えたパンチヘッド３１と前記リテーナカラー２９との間には、コイルスプリング３３が弾装してある。したがって、前記パンチホルダ１５のフランジ１５Ｆは、ホルダスリーブ１３の内側フランジ１５Ｆ上に押圧付勢されているものである。
【００１１】
前記パンチボディ２５に対する前記リテーナカラー２９の回転を規制するために、前記リテーナカラー２９に備えたピン２９Ｐは、パンチボディ２５に形成した上下方向のキー溝２５Ｋに上下動自在に係合してある。そして、前記パンチボディ２５の回転を規制するために、前記リテーナカラー２９に備えたキー３５は、前記ホルダスリーブ１３に形成した上下方向のスリット（キー溝）３７に摺動自在に係合してある。したがって、前記パンチボディ２５に備えた打圧部２５Ｐは、常に一定位置において上下動するものである。
【００１２】
前記パンチボディ２５における打圧部２５Ｐの下方位置へ各パンチチップ１９Ａ，１９Ｂ，…を割出し位置決めするために、前記パンチホルダ１５の外周面には上下方向のキー溝１５Ｋが形成してある。そして、前記ガイドスリーブ５に備えたキー５Ｋが前記キー溝１５Ｋに相対的に上下動自在に係合してある。なお、キー溝１５Ｋとキー５Ｋをどちらに備えるかは相対的なものである。したがって、パンチホルダ１５にキーを備え、ガイドスリーブ５にキー溝を備えてもよいものである。
【００１３】
上記構成により、歯車７を介してガイドスリーブ５を回転すると、パンチボディ２５の打圧部２５Ｐの下方位置へ所望のパンチチップ１９Ａ，１９Ｂ，…を割出し位置決めすることができる。そして、パンチプレスに上下動自在に備えたストライカ（図示省略）によって、パンチヘッド３１を打圧することにより、所望のパンチチップ１９Ａ，１９Ｂ，…によってワークＷにプレス加工を行うことができる。
【００１４】
ところで、前記パンチヘッド３１を保持して、パンチドライバ２７を持上げると、パンチホルダ１５等を、ホルダスリーブ１３、ガイドスリーブ５から上方向へ取り外すことができる。そして、パンチホルダ１５におけるキー溝１５Ｋの位置を、ガイドスリーブ５に備えたキー５Ｋの位置に合せ、かつリテーナカラー２９に備えたキー３５の位置を、ホルダスリーブ１３に形成したキー溝３７の位置に合せることにより、パンチホルダ１５を備えた上金型を、再び元の状態に装着することができる。
【００１５】
既に理解されるように、上金型をガイドスリーブ５等に装着する場合には、パンチホルダ１５に備えたキー溝１５Ｋとガイドスリーブ５に備えたキー５Ｋとの位置を合せる必要がある。また、ホルダスリーブ１３のキー溝３７とリテーナカラー２９に備えたキー３５との位置を合せる必要がある。ここで、前記パンチホルダ１５と前記リテーナカラー２９は、相対的に回動可能である。
【００１６】
したがって、前記ガイドスリーブ１５のキー溝１５Ｋの位置と前記リテーナカラー２９のキー３５の位置的関係は、常に一定の位置的関係にあるとは限らないものである。よって、ガイドスリーブ５等に対して上金型を着脱交換する場合、２ヶ所のキー５Ｋ，３５とキー溝１５Ｋ，３７の位置合せが厄介なものである。まして、ＡＴＣを用いて上金型の交換を行う場合は殆ど不可能に近いものである。
【課題を解決するための手段】
【００１７】
本発明は、前述のごとき従来の問題に鑑みてなされたもので、パンチプレスにおける上型ホルダに回転自在に支持された筒状のガイドスリーブの上方位置に、ホルダスリーブを上下動のみ自在に備えた構成の回転金型ホルダに対して着脱交換自在な上金型であって、前記ホルダスリーブの下端部に備えた内側フランジに回転自在かつ上下動自在に支持される筒状のパンチホルダの内側下端部に複数のパンチチップを円形状に配置して備え、前記パンチホルダに上下動自在かつ相対的に回転自在に嵌合したパンチボディの下端部に、前記各パンチチップを個別に打圧自在な打圧部を備え、前記パンチホルダの上端部に備えたフランジを前記ホルダスリーブの前記内側フランジ上に押圧するリテーナカラーを前記パンチボディに上下動自在に備えると共に下方向へ付勢して備え、前記ホルダスリーブに備えた上下方向のガイド溝に上下動自在に係合するキーを前記リテーナカラーに備え、前記ガイドスリーブに備えたキーを相対的に上下動自在に係合する上下方向のキー溝を前記パンチホルダに備え、前記リテーナカラーに備えた前記キーと前記パンチホルダに備えた前記キー溝との位置的関係を一定の位置関係に保持するために、前記リテーナカラーに上下動可能に備えたロックピンが係脱可能な凹部を、前記パンチホルダの上面に備えていることを特徴とするものである。
【００１８】
また、前記上金型において、前記パンチホルダの前記凹部内に、前記ホルダスリーブの前記内側フランジ上に前記パンチホルダのフランジを載置したときに前記ロックピンを押し上げる押し上げピンを上下動自在に備えている。
【００１９】
また、筒状のパンチホルダの内側下端部に複数のパンチチップを円形状に配置して備え、前記パンチホルダに上下動自在かつ相対的に回転自在に嵌合したパンチボディの下端部に、前記各パンチチップを個別に打圧自在な打圧部を備え、前記パンチボディにリテーナカラーを上下動自在に備えると共に前記パンチホルダを押圧すべく下方向へ付勢して備え、前記リテーナカラーに備えたキーと前記パンチホルダに備えたキー溝又はキーとの位置的関係を、不使用状態において常に一定の位置関係に保持するために、前記リテーナカラーに上下動可能に備えたロックピンが係合可能な凹部を、前記パンチホルダに備えていることを特徴とするものである。
【発明の効果】
【００２０】
本発明によれば、上金型におけるパンチホルダとリテーナカラーとを、相対的に回転不能な状態に一体的に保持することができる。したがって、ＡＴＣを使用しての上金型の着脱交換が可能になるものである。
【図面の簡単な説明】
【００２１】
【図１】従来のオートインデックス金型保持装置に上金型を装着した状態の構成を示す説明図である。
【図２】本実施形態に係る上金型の構成を示す説明図である。
【発明を実施するための形態】
【００２２】
本発明の実施形態に係る上金型４１の構成は、図２に示すとおりである。上金型４１において、前述した構成と同一の機能を奏する構成要素には同一符号を付することとして、重複した説明は省略する。
【００２３】
図２に示すように、本実施形態に係る上金型４１の構成は、前述した上金型の構成とほとんど同一の構成である。しかし、上金型４１においては、上金型４１をオートインデックス金型保持装置３Ｕ（図２においては図示省略）のガイドスリーブ等から上方向に取り外した状態の不使用時は、前記パンチホルダ１５と前記リテーナカラー２９との相対的な回転を規制するために、前記パンチホルダ１５のフランジ１５Ｆの上面にはスリップ用リング３９が一体的に備えられている。そして、このスリップ用リング３９に前記リテーナカラー２９が相対的に回転可能に嵌合支持されている。なお、スリップ用リング３９はパンチホルダ１５と一体的であるから、スリップ用リング３９は、パンチホルダ１５の一部と見なすことができる。
【００２４】
前記スリップ用リング３９の所定位置には、上下方向の凹部の一例としての貫通穴４３が形成してある。そして、この貫通穴４３内には、前記パンチホルダ１５のフランジ１５Ｆを上下動自在に貫通して下端部が前記フランジ１５Ｆから下方向へ突出自在な押し上げピン４５が備えられている。この押し上げピン４５は、前記ホルダスリーブ１３における内側フランジ１３Ｆの上面に下端部が当接したときに、前記押し上げピン４５の上面は、前記スリップ用リング３９の上面とほぼ同一面になる構成である。
【００２５】
前記リテーナカラー２９には、前記押し上げピン４５を押し下げて、下端部が前記貫通穴４３に嵌合自在なロックピン４７が上下動自在に備えられている。そして、上記ロックピン４７を上下動自在に挿入した挿入穴４９の上部に螺入した止めねじ５１と前記ロックピン４７との間には、コイルスプリングなどのごとき付勢手段５３が弾装してある。すなわち、前記ロックピン４７は、常に下方向へ付勢されている。
【００２６】
上記構成により、上金型４１を、ホルダスリーブ１３から上方向に取り外した状態においては、付勢手段５３の作用によって、ロックピン４７の下端部は貫通穴４３内に嵌合した状態にある。そして、押し上げピン４５は、ロックピン４７によって押し下げられ、押し上げピン４５の下端部は、パンチホルダ１５におけるフランジ１５Ｆから下方に突出した状態にある。
【００２７】
したがって、上金型４１をホルダスリーブ１３等から取り外した状態においては、パンチホルダ１５とリテーナカラー２９は相対的な回転を生じることなく一体化された状態にある。よって、パンチホルダ１５に備えたキー溝１５Ｋとリテーナカラー２９に備えたキー３５の位置的関係は常に一定の位置的関係にある。すなわち、パンチホルダ１５のキー溝１５Ｋを、ガイドスリーブ５に備えたキー５Ｋに合せるように位置決めすると、リテーナカラー２９に備えたキー３５は、ホルダスリーブ１３に備えたキー溝３７に一致する位置に位置決めされるものである。
【００２８】
したがって、前記キー５Ｋにキー溝１５Ｋを合せ、かつキー３５をキー溝３７に合せて、ホルダスリーブ１３に対して上金型４１を装着することが容易なものである。上述のように、ホルダスリーブ１３に上金型４１を装着すると、パンチホルダ１５のフランジ１５Ｆがホルダスリーブ１３の内側フランジ１３に支持される。
【００２９】
したがって、下端部が下方向に突出していた押し上げピン４５は相対的に押し上げられる。よって、ロックピン４７は付勢手段５３の付勢力に抗して上昇される。そして、前記ロックピン４７の下端部は、スリップ用リング３９の上面とほぼ等しい位置に保持される。したがって、ガイドスリーブ５の回転をパンチホルダ１５に伝達して、リテーナカラー２９に対してパンチホルダ１５を相対的に回転することができるものである。
【００３０】
以上ごとき説明から理解されるように、本実施形態によれば、上金型４１を、ホルダスリーブ１３から取り外した状態においては、パンチホルダ１５とリテーナカラー２９は相対的に回転することのないように一体化されるものである。したがって、パンチホルダ１５に備えたキー溝１５とリテーナカラー２９に備えたキー３５の位置的関係を常に一定の位置的関係に保持することができる。よって、上金型４１の着脱交換をＡＴＣを用いて行うことが可能になるものである。
【００３１】
ところで、本発明は、前述したごとき実施形態に限ることなく、適宜の変更を行うことにより、その他の形態で実施可能である。すなわち、前記実施形態においては、前記押し上げピン４５の上面及びロックピン４７の下面を平面として例示した。しかし、前記押し上げピン４５の上面を浅い凹曲面に形成し、前記ロックピン４７の下面を、上記凹曲面に係合離脱自在な僅かに突出した凸曲面に形成することも可能である。
【００３２】
上記構成により、上金型４１をマガジン等に保管時には、前記凹曲面と凸曲面が係合した状態にある。したがって、僅かな外力によって回動することを抑制できるものである。
【符号の説明】
【００３３】
３Ｕ，３Ｌ  オートインデックス金型保持装置
５  ガイドスリーブ
５Ｋ  キー
１３  ホルダスリーブ
１３Ｆ  内側フランジ
１５  パンチホルダ
１５Ｆ  フランジ
１５Ｋ  キー溝
２５  パンチボディ
２５Ｋ  キー溝
２７  パンチドライバ
２９  リテーナカラー
３５  キー
３７  スリット（キー溝）
３９  スリップ用リング
４１  上金型
４３  貫通穴
４５  押し上げピン
４７  ロックピン
４９  挿入穴
５１  止めねじ
５３  付勢手段（コイルスプリング）
【図１】
2018153829.tif 000003
【図２】
2018153829.tif 000004